(57)【要約】【課題】  人工活約筋において、尿道管の圧迫、弛緩の応動を速くし、構造を簡単にし、取扱いを容易にし、尿道管等の血行障害を低減すること。【解決手段】  磁性流体容器１は、圧迫部１１、連結部１２、保留部１３からなり、磁性流体を充填してある。圧迫部１１は、尿道管ＵＤの周囲に装着し、その外側に永久磁石ＰＭ２に取り付けてある。磁性流体は、通常（非排尿時）永久磁石ＰＭ２に引き寄せられて圧迫部１１に流入し、圧迫部１１を膨張する。その膨張により、尿道海綿体ＵＤ２は圧迫されて尿道ＵＤ１を閉塞する。保留部１３に体外の永久磁石を近付けると、磁性流体は、その永久磁石に引き寄せられて圧迫部１１から保留部１３へ移動し、圧迫部１１は収縮する。その収縮により尿道海綿体ＵＤ２は、弛緩して尿道ＵＤ１を開き、排尿の状態にする。【選択図】                図１
2006025824.tif 000002
【特許請求の範囲】
【請求項１】
尿道管等の器官の周囲に装着する圧迫部、磁性流体を溜める保留部、及び圧迫部と保留部を連結する連結部からなる磁性流体容器、前記圧迫部に取り付ける体内の永久磁石、並びに前記保留部に近付ける体外の磁石からなり、前記磁性流体容器には磁性流体を充填してあり、前記体外の磁石は前記体内の永久磁石よりも強い磁石であることを特徴とする人工括約筋。
【請求項２】
請求項１に記載の人工括約筋において、前記圧迫部は二個の圧迫部からなり、その二個の圧迫部は前記連結部の一端から分岐していることを特徴とする人工括約筋。
【請求項３】
請求項１に記載の人工括約筋において、前記連結部は二個の連結部からなり、前記保留部は二個の保留部からなり、前記圧迫部の一端は一方の連結部に連結し、前記圧迫部の他端は他方の連結部に連結してあることを特徴とする人工括約筋。
【請求項４】
請求項１、請求項２又は請求項３に記載の人工括約筋において、前記体外の磁石は、電磁石であることを特徴とする人工括約筋。
【請求項５】
請求項１、請求項２又は請求項３に記載の人工括約筋において、前記体内の永久磁石は、帯状であることを特徴とする人工括約筋。
【発明の詳細な説明】
【技術分野】
【０００１】
本願発明は、尿道、肛門等の括約筋の機能を補助或いは代行する人工括約筋に関する。
【背景技術】
【０００２】
図６により従来の人工括約筋について説明する。
図６（ａ）は、形状記憶ゲルを用いた人工括約筋の概要を示す（例えば特許文献１参照）。
図６（ａ）の人工括約筋は、膀胱Ｂに通じる尿道管ＵＤの周囲に形状記憶ゲルＳＭＧを装着してある。尿道管ＵＤは、尿道海綿体（図示せず）からなり、その中央に尿の通路である尿道（図示せず）を備えている。
【０００３】
通常（非排尿時）形状記憶ゲルＳＭＧは、尿道管ＵＤを圧迫して（尿道海綿体を圧迫する）尿道を閉塞している。即ち非排尿の状態にある。
排尿のときは、電熱器、温水等の加熱手段ＨＣによって形状記憶ゲルＳＭＧを加熱或いは暖めると、形状記憶ゲルＳＭＧは記憶した形状に戻るため、尿道管ＵＤは弛緩して尿道が開く。即ち排尿の状態になる。排尿後形状記憶ゲルＳＭＧの加熱を中止するか或いは冷却すると、形状記憶ゲルＳＭＧは、再び尿道管ＵＤを圧迫する状態に戻り、尿道を閉塞する。
【０００４】
図６（ｂ）は、ポンプを用いた人工括約筋の概要を示す（例えば特許文献２参照）。
尿道管ＵＤの周囲には、カフＫを装着し、その外側にリザーバリングＲを配置してある。カフＫ、リザーバリングＲは、管により弁部Ｈに連結され、その弁部Ｈを介してポンプＰに通じている。ポンプＰは、液体をカフＫからリザーバリングＲへ移動したり、逆にリザーバリングＲからカフＫへ移動したりする。弁部Ｈは、複数の弁からなり、液体の移動方向を制御する。
【０００５】
カフＫは、ポンプＰが作動して液体がリザーバリングＲから移動すると膨張して圧力が高くなり、尿道管ＵＤを圧迫して、尿道を閉塞する。即ち非排尿の状態になる。
排尿のときは、ポンプＰを作動して液体をカフＫからリザーバリングＲへ移動すると、カフＫは収縮し、リザーバリングＲは伸びて曲率が大きくなってカフＫから離れるため、尿道管ＵＤは、弛緩する。尿道管ＵＤが弛緩すると、尿道が開いて排尿の状態になる。即ち図６（ｂ）の状態になる。
【０００６】
【特許文献１】特開２０００−２４５８２４号公報
【特許文献２】特公平６−３８８０８号公報
【発明の開示】
【発明が解決しようとする課題】
【０００７】
従来の形状記憶ゲルを用いた人工括約筋は、尿道管ＵＤの弛緩、圧迫に加熱手段や冷却手段を使用するから、排尿、非排尿時の操作が面倒でかつ装置が複雑になる。また形状記憶ゲルの形状は、人の体温よりも高い温度で変化させなければならないが、高過ぎると危険であるから、ゲルの温度設定が容易でない。また形状記憶ゲルは、応動が遅いため尿道管ＵＤの弛緩、圧迫の切替えが遅くなり、排尿、非排尿を円滑に行うことができない。
一方従来のポンプを用いた人工括約筋は、ポンプ、弁部、ポンプ作動手段等が必要になるから装置が複雑になり、故障の原因が増え、体内に長期間留置するのに適していない。
本願発明は、これらの従来の人工括約筋の問題点を解決することを目的とする。
【課題を解決するための手段】
【０００８】
本願発明は、その目的を達成するため、請求項１に記載の人工括約筋は、尿道管等の器官の周囲に装着する圧迫部、磁性流体を溜める保留部、及び圧迫部と保留部を連結する連結部からなる磁性流体容器、前記圧迫部に取り付ける体内の永久磁石、並びに前記保留部に近付ける体外の磁石からなり、前記磁性流体容器には磁性流体を充填してあり、前記体外の磁石は前記体内の永久磁石よりも強い磁石であることを特徴とする。
請求項２に記載の人工括約筋は、請求項１に記載の人工括約筋において、前記圧迫部は二個の圧迫部からなり、その二個の圧迫部は前記連結部の一端から分岐していることを特徴とする。
請求項３に記載の人工括約筋は、請求項１に記載の人工括約筋において、前記連結部は二個の連結部からなり、前記保留部は二個の保留部からなり、前記圧迫部の一端は一方の連結部に連結し、前記圧迫部の他端は他方の連結部に連結してあることを特徴とする。
請求項４に記載の人工括約筋は、請求項１、請求項２又は請求項３に記載の人工括約筋において、前記体外の磁石は、電磁石であることを特徴とする。
請求項５に記載の人工括約筋は、請求項１、請求項２又は請求項３に記載の人工括約筋において、前記体内の永久磁石は、帯状であることを特徴とする。
【発明の効果】
【０００９】
本願発明の人工括約筋は、磁性流体が体内の永久磁石又は体外の磁石に引き寄せられ、磁性流体容器内を保留部から圧迫部へ、圧迫部から保留部へ移動して尿道管の尿道海綿体を圧迫、弛緩し、尿道を閉塞、閉塞解除する。したがって人工括約筋は、ポンプ等の特別な装置を設ける必要がないから、装置が簡単になる。また尿道の閉塞、閉塞解除は、体外の磁石体を保留部に近付けたり、遠ざけたりするか、又は体外の電磁石に励磁電源を接続したり、切り離したりするだけで行うことができるから、排尿、非排尿時の操作が簡単になる。また体外の磁石が電磁石の場合には、励磁電流を調整して磁石の強さを調整できるから、磁性流体容器の保留部の留置場所に対応して体外の磁石の強さを調整できる。
本願発明の人工括約筋の磁性流体は、体内の永久磁石又は体外の磁石に引かれて移動するから、スピーディに移動する。したがって尿道海綿体の圧迫、弛緩の切替えは、スピーディに行われ、排尿、非排尿を円滑に行うことができる。
【００１０】
本願発明の人工括約筋は、構造が簡単で故障の原因が少ないから、体内に長期間留置することができる。また圧迫部は、尿道管の周囲に沿って尿道管を包み込むように装着するから、尿道管を一様に圧迫し、かつ尿道管の長手方向の広い範囲を圧迫するから、比較的小さな圧迫力で尿道を閉塞できる。そして圧迫部は、流体（磁性流体）の入った袋で構成するから、尿道管の圧迫がソフトになる。したがって尿道管を長時間圧迫し続けても、血行障害を低減できる。
磁性流体容器の圧迫部に取付ける永久磁石が帯状の場合、永久磁石は、圧迫部の膨張阻止部材の機能も兼ね備えているから、圧迫部が膨張するとき外側への膨張を阻止する。したがって圧迫部の膨張力は、尿道管の圧迫に効率よく利用できる。
【発明を実施するための最良の形態】
【００１１】
図１〜図５により本願発明の実施例を説明する。なお各図に共通の部分は、同じ符号を使用している。
【実施例１】
【００１２】
図１、図２、図３により実施例１を説明する。
図１は、人工括約筋を尿道管に装着したときの平面図と側面図、及び磁性流体容器の平面図である。図１（ｂ）は、図１（ａ）のＸ１部分の矢印方向の断面を示す。
図１において、１は磁性流体容器、２１は固定部、ＰＭ２は永久磁石、ＵＤは尿道管、ＵＤ１は尿道、ＵＤ２は尿道海綿体である。
【００１３】
まず図１（ａ）、（ｂ）、（ｃ）について説明する。
磁性流体容器１は、磁性流体を充填する容器で、尿道管ＵＤの周囲に装着して尿道管ＵＤを圧迫する圧迫部１１、磁性流体を溜める保留部１３、圧迫部１１と保留部１３の間に位置して両者を連結する連結部１２とからなる。圧迫部１１、連結部１２、保留部１３は、一体的につながっていて一つの室を構成している。それらは、柔軟性のあるシリコーン等により作製する。圧迫部１１と連結部１２は、断面形状がかまぼこ形の袋状になっている。なおその断面形状は、円形、楕円形、四角形等であってもよい。保留部１３は、円筒状或いはドラム状の筒体であるが、他の形状の筒体であってもよい。また保留部１３は、連結部１２を延長してその延長部分を利用することもできる。
【００１４】
圧迫部１１は、尿道管ＵＤの周囲に巻いて装着し、固定部２１で固定する。固定部２１は、平面ファスナー２１１，２１２を用いるが、平面ファスナー以外の接着剤等の固定手段でもよい。圧迫部１１の周囲には、ゴム磁石等の帯状の永久磁石ＰＭ２を、接着剤等の固定手段により取り付けてある。
磁性流体容器１の連結部は、図１（ｄ）のようにシリコーン管等からなる管状の連結部１４であってもよい。
【００１５】
なお磁性流体容器１は、全体をフィルム状の素材で袋状に形成してもよいし、一部（例えば尿道管ＵＤに接触する側）にフィルム状の素材を用い、他部（例えば永久磁石ＰＭ２を取付ける側（外側））は、比較的厚手の素材を用いてもよい。
また体外の永久磁石ＰＭ１は、永久磁石に変えて電磁石を用いてもよい。その場合には、磁石を所定の位置に固定して、電磁石に励磁電源を接続したり、切り離したりするだけで磁性流体を移動できる。また励磁電流を調整して電磁石の強さを調整できるから、磁性流体容器１の保留部１３の留置場所に対応して体外の磁石の強さを調整できる。ここで本願は、永久磁石と電磁石を含めて磁石と呼ぶ。
永久磁石ＰＭ２は、帯状に限らず複数の永久磁石を並置してもよい。また永久磁石ＰＭ２は、磁性流体容器１の圧迫部１１の内側に取付けることもできる。その場合には、人工括約筋を構成する部材は、磁性流体容器１内に収納できるから、人工括約筋の体内留置が容易になる。
【００１６】
図２、図３により尿道管ＵＤの圧迫、弛緩について説明する。
図２は、尿道管ＵＤが圧迫されている状態を示し、図３は、尿道管ＵＤが弛緩している状態を示す。
図２（ｂ）、図３（ｂ）は、図２（ａ）、図３（ａ）のＸ２部分の矢印方向の断面図であり、図２（ｃ）、図３（ｃ）は、図２（ｂ）、図３（ｂ）のＸ３部分の矢印方向の断面図である。なお図２（ａ）、図３（ａ）の保留部は、一部を断面で示してある。
【００１７】
図２の場合、大分部の磁性流体ＬＭは、永久磁石ＰＭ２に引き寄せられて保留部１３から圧迫部１１へ移動しているため、圧迫部１１は膨張し、保留部１３は収縮している。圧迫部１１が膨張すると、尿道管ＵＤの尿道海綿体ＵＤ２は圧迫されて尿道ＵＤ１を閉塞する。即ち非排尿の状態になる。
磁性流体ＬＭが圧迫部１１側へ引き寄せられると、圧迫部１１内の磁性流体ＬＭの圧力が高くなり、圧迫部１１は全周方向へ膨張しようとするが、永久磁石ＰＭ２はほとんど伸びないから、圧迫部１１は、尿道管ＵＤを圧迫する方向へ膨張する。したがって圧迫部１１の膨張力は、尿道管ＵＤを圧迫するために効率よく利用できる。このように永久磁石ＰＭ２は、磁性流体を引き寄せる機能に加えて、圧迫部１１が外側へ膨張するのを防止する機能も有しているから、圧迫部１１の外側に膨張阻止部材を別途設ける必要がない。なお永久磁石ＰＭ２の膨張阻止力が小さいとき、或いは複数の永久磁石を並置するときは、その永久磁石の外側に膨張阻止部材を取付けるか、又は圧迫部１１の永久磁石ＰＭ２と接触する部分、或いは永久磁石ＰＭ２と接触する側（外側）を伸びの小さい素材で作製してもよい。
【００１８】
図３図の場合は、保留部１３に体外の永久磁石ＰＭ１を近付けてある。永久磁石ＰＭ１は、永久磁石ＰＭ２より強い（磁性流体ＬＭの吸引力が強い）磁石を用いる。磁性流体ＬＭは、永久磁石ＰＭ１に引き寄せられて圧迫部１１から保留部１３へ移動するため、圧迫部１１は、磁性流体ＬＭが減少して収縮し、保留部１３は、磁性流体ＬＭが流入して膨張する。圧迫部１１が収縮すると、尿道海綿体ＵＤ２は弛緩し、尿道ＵＤ１が開く。即ち排尿の状態になる。
排尿後、保留部１３から永久磁石１を遠ざけると、磁性流体ＬＭは、再び永久磁石ＰＭ２に引き寄せられて保留部１１から圧迫部１１へ移動するため、尿道ＵＤ１は閉塞して非排尿状態に戻る。
【００１９】
実施例１の場合、磁性流体ＬＭは、永久磁石ＰＭ１又は永久磁石ＰＭ２に引き寄せられて移動するから、磁性流体ＬＭは、永久磁石ＰＭ１を保留部１３に近付けたり、遠ざけたりするだけで移動する。したがって実施例１の人工括約筋は、ポンプ等の特別な装置を設けることなく磁性流体を移動できるから、装置が簡単になる。また磁性流体ＬＭは、永久磁石ＰＭ１又は永久磁石ＰＭ２に引き寄せられて移動するから、磁性流体ＬＭはスピーディに移動する。したがって尿道海綿体ＵＤ２の圧迫、弛緩もスピーディになり、排尿、非排尿が円滑に行われる。また排尿、非排尿時の操作も簡単になる。
【００２０】
実施例１の人工括約筋は、構造が簡単で故障の原因が少ないから、体内に長期間留置することができる。また圧迫部１１は、尿道管ＵＤの周面に沿って尿道管ＵＤを包み込むように装着するから、尿道管ＵＤを一様に圧迫し、かつ尿道管ＵＤの長手方向の広い範囲を圧迫するから、比較的小さな圧迫力で尿道ＵＤ１を閉塞できる。そして圧迫部１１は、流体（磁性流体）の入った袋で構成するから、尿道管ＵＤの圧迫がソフトになる。したがって尿道管ＵＤを長時間圧迫し続けても、血行障害を低減できる。
【実施例２】
【００２１】
図４は、実施例２の人工括約筋を尿道管に装着したときの平面図と側面図、及び磁性流体容器の平面図である。
図４の人工括約筋は、磁性流体容器１の圧迫部が二個の圧迫部１１１、圧迫部１１２からなる点に特徴がある。その他の構成は、図１の人工括約筋と同じである。圧迫部１１１、圧迫部１１２は、連結部１２の一端から二つに分岐している。圧迫部１１１、圧迫部１１２は、尿道管ＵＤの周囲に巻いて装着し、その外側に永久磁石ＰＭ２を取付けてある。
圧迫部１１１、圧迫部１１２の長さ（連結部１２の分岐点から先端までの長さ）は、図１の圧迫部１１の半分になる。したがって圧迫部１１１、圧迫部１１２の磁性流体の流入、流出が容易になる。
【実施例３】
【００２２】
図５は、実施例３の人工括約筋を尿道管に装着したときの平面図と側面図、及び磁性流体容器の平面図である。
図５の人工括約筋は、磁性流体容器１の連結部及び保留部が夫々二個の連結部１２１，１２２及び二個の保留部１３１，１３２からなる点に特徴がある。その他の構成は、図１の人工括約筋と同じである。圧迫部１１の一端は、連結部１２１に連結し、圧迫部１１の他端は、連結部１２２に連結してある。また連結部１２１，１２２は、保留部１３１，１３２に夫々連結してある。圧迫部１１は、尿道管ＵＤの周囲に巻いて装着し、その外側に永久磁石ＰＭ２を取付けてある。
圧迫部１１の両端は、連結部１２１，１２２に連結してあるから、磁性流体の流入、流出に関して、圧迫部１１の長さは、図４の場合と同様に図１の圧迫部１１の半分になる。したがって圧迫部１１の磁性流体の流入、流出が容易になる。
前記各実施例の体内の永久磁石は、圧迫部の略全周に配置してあるが、圧迫部の連結部側の端部に遠い部分にのみ配置してもよい。
前記各実施例は、尿道の閉塞、閉塞解除を例に説明したが、尿道の他人工肛門等、括約筋によって閉塞し、閉塞を解除する器官に利用できる。
【図面の簡単な説明】
【００２３】
【図１】本願発明の実施例１の人工括約筋を尿道管に装着したときの平面図と側面図、及び磁性流体容器の平面図である。
【図２】図１の尿道の閉塞状態（非排尿状態）を示す図である。
【図３】図１の尿道の閉塞解除状態(排尿状態)を示す図である。
【図４】本願発明の実施例２の人工括約筋を尿道管に装着したときの平面図と側面図、及び磁性流体容器の平面図である。
【図５】本願発明の実施例３の人工括約筋を尿道管に装着したときの平面図と側面図、及び磁性流体容器の平面図である。
【図６】従来の人工括約筋の概略図である。
【符号の説明】
【００２４】
１    磁性流体容器
１１，１１１，１１２    圧迫部
１２，１２１，１２２    連結部
１３，１３１，１３２    保留部
ＬＭ    磁性流体
ＰＭ１，ＰＭ２    永久磁石
ＵＤ    尿道管
ＵＤ１    尿道
ＵＤ２    尿道海綿体
【図１】
2006025824.tif 000003
【図２】
2006025824.tif 000004
【図３】
2006025824.tif 000005
【図４】
2006025824.tif 000006
【図５】
2006025824.tif 000007
【図６】
2006025824.tif 000008